(57)【要約】タイミングの不明確性を解決するために、チャネル活動についてタイミング位置を判定するための、無線通信システム内で使用する装置および方法が開示される。開示される装置は通信信号のチャネル活動が通信チャネル推定における早期または晩期到着位置のうちの少なくとも一方で起こる時を判定し、かつ早期到着位置または晩期到着位置のどちらかにおけるチャネル活動を無線チャネル推定における対応する晩期または早期到着のアンラップされたチャネル活動位置へとアンラップするプロセッサを含む。このプロセッサはチャネル活動およびアンラップされたチャネル活動の両方に対応する通信信号内の記号データを主チャネル活動の記号データに相関付ける。このプロセッサはこの相関に基づいてチャネル活動の正しいタイミング位置が早期または晩期到着位置のうちの一方であるかどうか判定し、したがってタイミングの不明確性を解決する。補完的な方法もやはり開示される。
2009520414.tif 000002
【特許請求の範囲】
【請求項１】
通信信号内のタイミング位置を判定するための方法であって、
前記通信信号のチャネル活動が通信チャネル推定における早期または晩期到着位置のうちの少なくとも一方で起こる時を判定することと、
前記早期到着位置または前記晩期到着位置のどちらかにおける前記チャネル活動を前記無線チャネル推定における対応する晩期または早期到着のアンラップされたチャネル活動位置へとアンラップすることと、
前記チャネル活動および前記アンラップされたチャネル活動の両方に対応する前記通信信号内の記号データを判定することと、
前記チャネル活動および前記アンラップされたチャネル活動の両方に対応する前記判定された記号データを、最大チャネル活動を含めた前記チャネル推定の場所の他の部分で起こるチャネル活動に対応する記号データに相関付けることと、
前記チャネル活動のタイミング位置が前記早期または晩期到着位置のうちの一方で起こるかどうかを、前記チャネル活動および前記アンラップされたチャネル活動の両方に対応する前記記号データの、前記最大チャネル活動に対応する記号データへの前記相関に基づいて判定することとを備えた方法。
【請求項２】
前記チャネル活動および前記アンラップされたチャネル活動の両方に対応する前記判定された記号データを、前記最大チャネル活動を含めた前記チャネル推定の場所の前記他の部分で起こるチャネル活動に対応する記号データに相関付けることが所定の数のサンプルの範囲を相関付けることを含む、請求項１に記載の方法。
【請求項３】
前記チャネル活動および前記アンラップされたチャネル活動の位置の両方に対応する前記判定された記号データを、前記最大チャネル活動を含めた前記チャネル推定の場所の前記他の部分で起こるチャネル活動に対応する記号データに相関付けることが所定の数の相関について相関付けることを含む、請求項１に記載の方法。
【請求項４】
前記通信信号が直交周波数分割多重信号である、請求項１に記載の方法。
【請求項５】
通信装置において受信した通信信号のチャネル活動についてタイミング位置を判定するための方法であって、
チャネル推定の晩期または早期のバッファゾーンのうちの一方におけるチャネル活動を検出することと、
前記検出したチャネル活動を、前記検出したチャネル活動の場所の反対側である早期または晩期のチャネル推定位置のうちの一方に帰属させることと、
前記検出したチャネル活動場所に対応する記号データシーケンスの場所における前記検出したチャネル活動に対応する前記記号データシーケンス内の対応する検出データサンプルを判定することと、
前記検出したチャネル活動場所に対応する前記記号データシーケンスの場所における前記帰属チャネル活動に対応する前記記号データシーケンス内の対応する帰属データサンプルを判定することと、
前記チャネル推定における最大チャネル活動に対応する前記記号データシーケンスの場所における前記最大チャネル活動に対応する前記記号データシーケンス内の対応する最大チャネルデータサンプルを判定することと、
前記対応する検出データサンプルと前記対応する最大チャネルデータサンプルとの間の第１の相関付けを実行することと、
前記対応する帰属データサンプルと前記対応する最大チャネルデータサンプルとの間の第２の相関付けを実行することと、
前記検出したチャネル活動に関して正しいタイミング位置を、前記第１と第２の相関のうちのいずれが大きいかの判定に基づいて判定することとを備えた方法。
【請求項６】
前記対応する検出データサンプル、前記対応する帰属データサンプル、および前記対応する最大チャネルデータサンプルの各々が所定の数のデータサンプル点を含む、請求項５に記載の方法。
【請求項７】
前記第１と第２の相関付けの各々の実行が所定の数の相関について相関付けることを含む、請求項５に記載の方法。
【請求項８】
前記通信信号が直交周波数分割多重信号である、請求項５に記載の方法。
【請求項９】
命令のセットを備えた機械読み取り可能な記憶媒体であって、命令の前記セットが
通信チャネル推定における早期または晩期到着位置のうちの少なくとも一方でチャネル活動が起こる時を判定するための命令と、
前記早期到着位置または前記晩期到着位置のどちらかにおける前記チャネル活動を、前記無線チャネル推定における対応する晩期または早期到着のアンラップされたチャネル活動位置へとアンラップするための命令と、
前記チャネル活動および前記アンラップされたチャネル活動の両方に対応する通信信号内の記号データを判定するための命令と、
前記チャネル活動および前記アンラップされたチャネル活動の両方に対応する前記判定された記号データを、最大チャネル活動を含めた前記チャネル推定の場所の別の部分で起こるチャネル活動に対応する記号データに相関付けるための命令と、
前記チャネル活動のタイミング位置が前記早期または晩期到着位置のうちの一方で起こるかどうかを、前記チャネル活動および前記アンラップされたチャネル活動の両方に対応する前記記号データの、前記最大チャネル活動に対応する記号データへの前記相関に基づいて判定するための命令とを備えた機械読み取り可能な記憶媒体。
【請求項１０】
前記チャネル活動および前記アンラップされたチャネル活動の両方に対応する前記判定された記号データを、前記最大チャネル活動を含めた前記チャネル推定の場所の別の部分で起こるチャネル活動に対応する記号データに相関付けるための命令が所定の数のサンプルの範囲を相関付けることを含む、請求項９に記載の機械読み取り可能な記憶媒体。
【請求項１１】
前記チャネル活動および前記アンラップされたチャネル活動の両方に対応する前記判定された記号データを、前記最大チャネル活動を含めた前記チャネル推定の場所の別の部分で起こるチャネル活動に対応する記号データに相関付けるための命令が所定の数の相関について相関付けることを含む、請求項９に記載の機械読み取り可能な記憶媒体。
【請求項１２】
直交周波数分割多重信号のチャネル推定における使用のために構成される、請求項９に記載の機械読み取り可能な記憶媒体。
【請求項１３】
命令のセットを備えた機械読み取り可能な記憶媒体であって、命令の前記セットが
チャネル推定の晩期または早期のバッファゾーンのうちの一方におけるチャネル活動を検出するための命令と、
前記検出したチャネル活動を、前記検出したチャネル活動の場所の反対側である早期または晩期のチャネル推定位置のうちの一方に帰属させるための命令と、
前記検出したチャネル活動場所に対応する記号データシーケンスの場所における前記検出したチャネル活動に対応する前記記号データシーケンス内の対応する検出データサンプルを判定するための命令と、
前記検出したチャネル活動場所に対応する前記記号データシーケンスの場所における前記帰属チャネル活動に対応する前記記号データシーケンス内の対応する帰属データサンプルを判定するための命令と、
前記チャネル推定における最大チャネル活動に対応する前記記号データシーケンスの場所における前記最大チャネル活動に対応する前記記号データシーケンス内の対応する最大チャネルデータサンプルを判定するための命令と、
前記対応する検出データサンプルと前記対応する最大チャネルデータサンプルとの間の第１の相関付けを実行するための命令と、
前記対応する帰属データサンプルと前記対応する最大チャネルデータサンプルとの間の第２の相関付けを実行するための命令と、
前記検出したチャネル活動に関して正しいタイミング位置を、前記第１と第２の相関のうちのいずれが大きいかの判定に基づいて判定するための命令とを備えた機械読み取り可能な記憶媒体。
【請求項１４】
前記対応する検出データサンプル、前記対応する帰属データサンプル、および前記対応する最大チャネルデータサンプルの各々が所定の数のデータサンプル点を含む、請求項１３に記載の機械読み取り可能な記憶媒体。
【請求項１５】
前記第１と第２の相関付けの各々の実行が所定の数の相関について相関付けることを含む、請求項１３に記載の機械読み取り可能な記憶媒体。
【請求項１６】
直交周波数分割多重システムにおいて使用される、請求項１３に記載の機械読み取り可能な記憶媒体。
【請求項１７】
無線通信システムにおける使用のためのトランシーバであって、
チャネル活動が通信チャネル推定における早期または晩期到着位置のうちの少なくとも一方で起こる時を判定し、前記早期到着位置または前記晩期到着位置のどちらかにおける前記チャネル活動を前記無線チャネル推定における対応する晩期または早期到着のアンラップされたチャネル活動位置へとアンラップし、前記チャネル活動および前記アンラップされたチャネル活動位置の両方に対応する通信信号内の記号データを判定し、前記チャネル活動および前記アンラップされたチャネル活動の両方に対応する前記判定された記号データを最大チャネル活動を含めた前記チャネル推定の場所の他の部分で起こるチャネル活動に対応する記号データに相関付け、かつ前記チャネル活動のタイミング位置が前記早期または晩期到着位置のうちの一方で起こるかどうかを、前記チャネル活動および前記アンラップされたチャネル活動の両方に対応する前記記号データの、チャネル活動に対応する記号データへの相関に基づいて判定するように構成されるプロセッサを備えたトランシーバ。
【請求項１８】
前記プロセッサが前記チャネル活動および前記アンラップされたチャネル活動の両方に対応する前記判定された記号データを、所定の数のサンプルの範囲全体にわたって相関付けることによって前記最大チャネル活動を含めた前記チャネル推定の場所の他の部分で起こるチャネル活動に対応する記号データに相関付けるように構成される、請求項１７に記載のトランシーバ。
【請求項１９】
前記プロセッサが前記チャネル活動および前記アンラップされたチャネル活動の両方に対応する前記判定された記号データを、所定の数に関して相関付けることによって前記最大チャネル活動を含めた前記チャネル推定の場所の他の部分で起こるチャネル活動に対応する記号データに相関付けるように構成される、請求項１８に記載のトランシーバ。
【請求項２０】
前記無線通信システムが直交周波数分割多重システムである、請求項１８に記載のトランシーバ。
【請求項２１】
無線通信システムにおける使用のためのトランシーバであって、
チャネル推定の晩期または早期のバッファゾーンのうちの一方におけるチャネル活動を検出し、検出したチャネル活動を、前記検出したチャネル活動の場所の反対側である早期または晩期のチャネル推定位置のうちの一方に帰属させ、前記検出したチャネル活動場所に対応する記号データシーケンスの場所における前記検出したチャネル活動に対応する記号データシーケンス内の対応する検出データサンプルを判定し、前記検出したチャネル活動場所に対応する記号データシーケンスの場所における前記帰属チャネル活動に対応する記号データシーケンス内の対応する帰属データサンプルを判定し、前記チャネル推定における最大チャネル活動に対応する記号データシーケンスの場所における前記最大チャネル活動に対応する記号データシーケンス内の対応する最大チャネルデータサンプルを判定し、前記対応する検出データサンプルと前記対応する最大チャネルデータサンプルとの間の第１の相関付けを実行し、前記対応する帰属データサンプルと前記対応する最大チャネルデータサンプルとの間の第２の相関付けを実行し、かつ前記検出したチャネル活動に関して正しいタイミング位置を、前記第１と第２の相関のうちのいずれが大きいかの判定に基づいて判定するように構成されるプロセッサを備えたトランシーバ。
【請求項２２】
前記対応する検出データサンプル、前記対応する帰属データサンプル、および前記対応する最大チャネルデータサンプルの各々が所定の数のデータサンプル点を含む、請求項２１に記載のトランシーバ。
【請求項２３】
所定の数の相関について相関付けることを含むことによって前記プロセッサが前記第１と第２の相関付けの各々の遂行を実行するように構成される、請求項２１に記載のトランシーバ。
【請求項２４】
前記無線通信システムが直交周波数分割多重システムである、請求項２１に記載のトランシーバ。
【請求項２５】
無線通信装置内でタイミングを解明するための装置であって、
チャネル活動がチャネル推定の早期または晩期到着位置で起こる時を判定するための手段と、
前記早期到着位置または前記晩期到着位置のどちらかにおけるチャネル活動を前記チャネル推定における対応する晩期または早期到着のチャネル活動へとアンラップするための手段と、
前記チャネル活動および前記アンラップされたチャネル活動の両方に対応する信号データ内の記号データを判定するための手段と、
前記チャネル活動および前記アンラップされたチャネル活動の両方に対応する前記判定された記号データを前記チャネル推定において起こる最大チャネル活動に対応する記号データに相関付けるための手段と、
前記早期または晩期到着位置のどちらかで起こる前記チャネル活動の正しいタイミング位置を、前記チャネル活動および前記アンラップされたチャネル活動の両方に対応する前記記号データの、前記最大チャネル活動に対応する記号データへの相関に基づいて判定するための手段とを備えた装置。
【請求項２６】
前記相関付けるための手段が、前記最大チャネル活動を含めた前記チャネル推定の場所の前記他の部分で起こるチャネル活動に対応する記号データに前記チャネル活動および前記アンラップされたチャネル活動の両方に対応する前記判定された記号データを相関付けるための手段であって、所定の数のサンプルの範囲を相関付けることを含む手段をさらに含む、請求項２５に記載の装置。
【請求項２７】
前記相関付けるための手段が、前記最大チャネル活動を含めた前記チャネル推定の場所の前記他の部分で起こるチャネル活動に対応する記号データに前記チャネル活動および前記アンラップされたチャネル活動の両方に対応する前記判定された記号データを相関付けるための手段であって、所定の数の相関について相関付けることを含む手段をさらに含む、請求項２５に記載の装置。
【請求項２８】
前記無線通信システムが直交周波数分割多重システムである、請求項２５に記載のトランシーバ。
【請求項２９】
通信チャネル推定においてタイミング位置を判定するための方法であって、
通信チャネル内のチャネル活動が通信チャネル推定における早期または晩期到着位置のうちの少なくとも一方で起こる時を検出することと、
前記早期到着位置または前記晩期到着位置のどちらかにおける前記検出されたチャネル活動を前記無線チャネル推定における対応する晩期または早期到着のアンラップされたチャネル活動位置へとアンラップすることと、
前記チャネル活動および前記アンラップされたチャネル活動の位置の両方に対応する通信信号内の記号データを主チャネル活動に対応する記号データに相関付けることと、
前記チャネル活動の正しいタイミング位置が前記早期または晩期到着位置のうちの一方であるかどうかを前記相関に基づいて判定することとを備えた方法。
【請求項３０】
記号データを相関付けることが所定の数のサンプルの範囲全体にわたって相関付けることを含む、請求項２９に記載の方法。
【請求項３１】
相関付けることが所定の数の相関について相関付けることを含む、請求項２９に記載の方法。
【請求項３２】
前記通信チャネルが直交周波数分割多重信号である、請求項２９に記載の方法。
【請求項３３】
無線トランシーバであって、
通信チャネル内のチャネル活動が通信チャネル推定における早期または晩期到着位置のうちの少なくとも一方で起こる時を検出し、前記早期到着位置または前記晩期到着位置のどちらかにおける前記検出されたチャネル活動を前記無線チャネル推定における対応する晩期または早期到着のアンラップされたチャネル活動位置へとアンラップし、前記チャネル活動および前記アンラップされたチャネル活動の位置の両方に対応する通信信号内の記号データを主チャネル活動に対応する記号データに相関付け、かつ前記チャネル活動の正しいタイミング位置が前記早期または晩期到着位置のうちの一方であるかどうかを前記相関に基づいて判定するように構成されるタイミング推定回路を備えたトランシーバ。
【請求項３４】
前記タイミング推定回路がさらに、所定の数のサンプルの範囲全体にわたる相関付けを含むことによって記号データを相関付けるように構成される、請求項３３に記載のトランシーバ。
【請求項３５】
前記タイミング推定回路がさらに、所定の数の相関について相関付けを含むことによって記号データを相関付けるように構成される、請求項３３に記載のトランシーバ。
【請求項３６】
直交周波数分割多重システム内で動作するように構成される、請求項３３に記載のトランシーバ。
【請求項３７】
通信信号内のタイミング位置を判定するための方法であって、
通信チャネル推定における早期到着位置で起こる前記通信信号の第１のチャネル活動を判定することと、
前記通信チャネル推定における晩期到着位置で前記第１のチャネル活動をアンラップすることと、
前記第１のチャネル活動および前記アンラップされた第１のチャネル活動の両方に対応する前記通信信号内の記号データを判定することと、
前記第１のチャネル活動および前記アンラップされた第１のチャネル活動の両方に対応する前記判定された記号データを、主チャネル活動を含めた前記チャネル推定の他の部分で起こる第２のチャネル活動に対応する記号データに相関付けることと、
前記第１のチャネル活動および前記アンラップされた第１のチャネル活動の両方に対応する前記判定された記号データの前記第２のチャネル活動に対応する記号データへの前記相関に基づいて前記第１のチャネル活動のタイミング位置を判定することとを備えた方法。
【請求項３８】
前記第１のチャネル活動に対応する前記判定された記号データの前記第２のチャネル活動に対応する前記記号データへの前記相関が前記アンラップされた第１のチャネル活動に対応する前記判定された記号データの前記第２のチャネル活動に対応する前記記号データへの前記相関よりも大きいときに前記第１のチャネル活動の前記タイミング位置が前記早期到着位置にあると判定される、請求項３７に記載の方法。
【請求項３９】
前記第１のチャネル活動に対応する前記判定された記号データの前記第２のチャネル活動に対応する前記記号データへの前記相関が前記アンラップされた第１のチャネル活動に対応する前記判定された記号データの前記第２のチャネル活動に対応する前記記号データへの前記相関よりも小さいときに前記第１のチャネル活動の前記タイミング位置が前記晩期到着位置にあると判定される、請求項３７に記載の方法。
【請求項４０】
前記通信信号が直交周波数分割多重信号である、請求項３７に記載の方法。
【請求項４１】
通信信号内のタイミング位置を判定するための方法であって、
通信チャネル推定における晩期到着位置で起こる前記通信信号の第１のチャネル活動を判定することと、
前記通信チャネル推定における早期到着位置で前記第１のチャネル活動をアンラップすることと、
前記第１のチャネル活動および前記アンラップされた第１のチャネル活動の両方に対応する前記通信信号内の記号データを判定することと、
前記第１のチャネル活動および前記アンラップされた第１のチャネル活動の両方に対応する前記判定された記号データを、主チャネル活動を含めた前記チャネル推定の他の部分で起こる第２のチャネル活動に対応する記号データに相関付けることと、
前記第１のチャネル活動および前記アンラップされた第１のチャネル活動の両方に対応する前記判定された記号データの前記第２のチャネル活動に対応する記号データへの前記相関に基づいて前記第１のチャネル活動のタイミング位置を判定することとを備えた方法。
【請求項４２】
前記第１のチャネル活動に対応する前記判定された記号データの前記第２のチャネル活動に対応する前記記号データへの前記相関が前記アンラップされた第１のチャネル活動に対応する前記判定された記号データの前記第２のチャネル活動に対応する前記記号データへの前記相関よりも大きいときに前記第１のチャネル活動の前記タイミング位置が前記晩期到着位置にあると判定される、請求項４１に記載の方法。
【請求項４３】
前記第１のチャネル活動に対応する前記判定された記号データの前記第２のチャネル活動に対応する前記記号データへの前記相関が前記アンラップされた第１のチャネル活動に対応する前記判定された記号データの前記第２のチャネル活動に対応する前記記号データへの前記相関よりも小さいときに前記第１のチャネル活動の前記タイミング位置が前記早期到着位置にあると判定される、請求項４１に記載の方法。
【請求項４４】
前記通信信号が直交周波数分割多重信号である、請求項４１に記載の方法。
【請求項４５】
通信チャネル推定においてタイミング位置を判定するための方法であって、
通信チャネル推定における早期到着位置で起こる第１のチャネル活動を検出することと、
前記無線チャネル推定における晩期到着位置で前記検出された第１のチャネル活動をアンラップすることと、
前記第１のチャネル活動の位置および前記アンラップされた第１のチャネル活動の位置の両方に対応する通信信号内の記号データを主チャネル活動に対応する記号データに相関付けることと、
前記相関に基づいて前記第１のチャネル活動のタイミング位置を判定することとを備えた方法。
【請求項４６】
前記第１のチャネル活動位置の前記記号データの前記主チャネル活動に対応する前記記号データへの前記相関が前記アンラップされた第１のチャネル活動位置の前記記号データの、前記主チャネル活動に対応する前記記号データへの前記相関よりも大きいときに前記第１のチャネル活動の前記タイミング位置が前記早期到着位置にあると判定される、請求項４５に記載の方法。
【請求項４７】
前記第１のチャネル活動位置の前記記号データの前記主チャネル活動に対応する前記記号データへの前記相関が前記アンラップされた第１のチャネル活動位置の前記記号データの、前記主チャネル活動に対応する前記記号データへの前記相関よりも小さいときに前記第１のチャネル活動の前記タイミング位置が前記晩期到着位置にあると判定される、請求項４５に記載の方法。
【請求項４８】
前記通信チャネルが直交周波数分割多重信号である、請求項４５に記載の方法。
【請求項４９】
通信チャネル推定においてタイミング位置を判定するための方法であって、
通信チャネル推定における晩期到着位置で起こる第１のチャネル活動を検出することと、
前記無線チャネル推定における早期到着位置で前記検出された第１のチャネル活動をアンラップすることと、
前記第１のチャネル活動および前記アンラップされた第１のチャネル活動の位置の両方に対応する通信信号内の記号データを主チャネル活動に対応する記号データに相関付けることと、
前記相関に基づいて前記第１のチャネル活動のタイミング位置を判定することとを備えた方法。
【請求項５０】
前記第１のチャネル活動位置の前記記号データの前記主チャネル活動に対応する前記記号データへの前記相関が前記アンラップされた第１のチャネル活動位置の前記記号データの前記主チャネル活動に対応する前記記号データへの前記相関よりも大きいときに前記第１のチャネル活動の前記タイミング位置が前記晩期到着位置にあると判定される、請求項４５に記載の方法。
【請求項５１】
前記第１のチャネル活動位置の前記記号データの前記主チャネル活動に対応する前記記号データへの前記相関が前記アンラップされた第１のチャネル活動位置の前記記号データの前記主チャネル活動に対応する前記記号データへの前記相関よりも小さいときに前記第１のチャネル活動の前記タイミング位置が前記早期到着位置にあると判定される、請求項４５に記載の方法。
【請求項５２】
前記通信チャネルが直交周波数分割多重信号である、請求項４５に記載の方法。
【発明の詳細な説明】
【技術分野】
【０００１】
本開示は概して無線通信システム内でタイミングを判定することに関し、さらに詳細には無線通信システムのトランシーバにおけるタイミングの不明確性を解決するためにタイミングを判定し、それによってタイミング追跡のダイナミックレンジを効果的に広げるための装置および方法に関する。
【背景技術】
【０００２】
例えば直交周波数分割多重（ＯＦＤＭ）を使用するシステムなどの或る種の無線通信システムでは、送信される信号のタイミング追跡はチャネル推定に基づいて実行される。通例では、信号チャネルは全体的信号の一部として送信されるパイロット信号を使用して推定される。チャネル推定の長さは送信されるパイロットチャネルの数によって制限され、この数はパイロットチャネル送信から結果的に生じる諸経費によって制限される。ＯＦＤＭシステムの一例では、パイロットチャネルの送信に起因する諸経費を制限するために最大数で２つのＦＤＭパイロットチャネルが使用される。そのような実例では、タイミング追跡のためのチャネル推定の最大長はサンプルの数「Ｌ」に制限され、ここでＬ＝１０２４個のサンプルまたはチップである。実際の最大チャネル長が７６８サンプルまたはチップであるシステムを想定すると、タイミング追跡のために残されるダイナミックレンジは極めて制限される（すなわち２５６サンプルまたはチップである）。したがって、チャネル推定が実際のチャネル長よりも十分に長くない（すなわち１０２４は７６８よりも大幅に大きいわけではない）このような用途では、タイミングのダイナミックレンジが限られる（すなわち±１２８サンプルまたはチップ）ので現在知られているタイミング追跡は難題になる。
【０００３】
さらに、チャネル推定の周期性（すなわち規則的間隔で起こる特性または品質）のせいで、タイミング追跡におけるさらなる不明確性が結果として生じ得る。チャネル推定の周期的性質が理由で、信号の多経路送信から結果として生じる特定のチャネルの早期に現れる信号記号エネルギーは「ラップアラウンド」が原因で実際にはチャネル推定において「遅く」現れるであろう。同様に、遅く現れる信号記号エネルギーは実際にはチャネル推定において早く現れるであろう。このようにして、チャネル推定において早く、または遅く現れる記号エネルギーが実際には逆になり得るのでタイミングの不明確性が結果として生じ得る。
【発明の開示】
【発明の概要】
【０００４】
本開示の態様によると、通信チャネル推定におけるタイミング位置を判定するための方法は通信チャネル内のチャネル活動が通信チャネル推定における早期または晩期到着位置のうちの少なくとも一方で起こる時を検出することを含む。本方法はさらに、早期到着位置または晩期到着位置のどちらかにおける検出されたチャネル活動を無線チャネル推定における対応する晩期または早期到着のアンラップされたチャネル活動位置へとアンラップし、次いでチャネル活動およびアンラップされたチャネル活動の位置の両方に対応する通信信号内の記号データを主チャネル活動に対応する記号データに相関付けることを含む。最後に、本方法はこの相関に基づいてチャネル活動の正しいタイミング位置が早期または晩期到着位置のうちの一方であるかどうか判定することを含む。
【０００５】
別の態様によると、無線トランシーバが開示され、通信チャネル内のチャネル活動が通信チャネル推定における早期または晩期到着位置のうちの少なくとも一方で起こる時を検出するように構成されたタイミング推定回路を含む。この推定回路はまた、早期到着位置または晩期到着位置のどちらかにおける検出されたチャネル活動を無線チャネル推定における対応する晩期または早期到着のアンラップされたチャネル活動位置へとアンラップし、かつチャネル活動およびアンラップされたチャネル活動の位置の両方に対応する通信信号内の記号データを主チャネル活動に対応する記号データに相関付けるように構成される。さらに、この推定回路はこの相関に基づいてチャネル活動の正しいタイミング位置が早期または晩期到着位置のうちの一方であるかどうか判定するように構成される。
【０００６】
さらに別の態様によると、通信信号内のタイミング位置を判定するための方法は通信信号のチャネル活動が通信チャネル推定における早期または晩期到着位置のうちの少なくとも一方で起こる時を検出すること、早期到着位置または晩期到着位置のどちらかにおけるチャネル活動を無線チャネル推定における対応する晩期または早期到着のアンラップされたチャネル活動位置へとアンラップすること、チャネル活動およびアンラップされたチャネル活動の位置の両方に対応する通信信号内の記号データを判定すること、チャネル活動およびアンラップされたチャネル活動の両方に対応する通信信号内の判定された記号データを、最大チャネル活動を含めたチャネル推定の場所の他の部分で起こるチャネル活動に対応する記号データに相関付けること、およびチャネル活動のタイミング位置が早期または晩期到着位置のうちの一方で起こるかどうかを、チャネル活動およびアンラップされたチャネル活動の両方に対応する記号データの最大チャネル活動に対応する記号データへの相関に基づいて判定することを含む。
【０００７】
なおも別の態様によると、通信装置において受信した通信信号のチャネル活動に関してタイミング位置を判定するための方法が開示され、チャネル推定の晩期または早期のバッファゾーンのうちの一方におけるチャネル活動を検出すること、検出したチャネル活動を、検出したチャネル活動の場所の反対側である早期または晩期のチャネル推定位置のうちの一方に帰属させること、検出したチャネル活動場所に対応する記号データシーケンスの場所における検出したチャネル活動に対応する記号データシーケンス内の対応する検出データサンプルを判定すること、検出したチャネル活動場所に対応する記号データシーケンスの場所における帰属チャネル活動に対応する記号データシーケンス内の対応する帰属データサンプルを判定すること、チャネル推定における最大チャネル活動に対応する記号データシーケンスの場所における最大チャネル活動に対応する記号データシーケンス内の対応する最大チャネルデータサンプルを判定すること、対応する検出データサンプルと対応する最大チャネルデータサンプルとの間の第１の相関付けを実行すること、対応する帰属データサンプルと対応する最大チャネルデータサンプルとの間の第２の相関付けを実行すること、および検出したチャネル活動に関して正しいタイミング位置を、第１と第２の相関のうちのいずれが大きいかの判定に基づいて判定することを含む。
【０００８】
さらなる態様によると、命令のセットを含む機械読み取り可能な記憶媒体が開示される。記憶された命令は通信チャネル推定における早期または晩期到着位置のうちの少なくとも一方でチャネル活動が起こる時を判定するため、早期到着位置または晩期到着位置のどちらかにおけるチャネル活動を、無線チャネル推定における対応する晩期または早期到着のアンラップされたチャネル活動位置へとアンラップするため、チャネル活動およびアンラップされたチャネル活動の両方に対応する通信信号内の記号データを判定するため、チャネル活動およびアンラップされたチャネル活動の両方に対応する判定された記号データを、最大チャネル活動を含めたチャネル推定の場所の別の部分で起こるチャネル活動に対応する記号データに相関付けるため、およびチャネル活動のタイミング位置が早期または晩期到着位置のうちの一方で起こるかどうかを、チャネル活動およびアンラップされたチャネル活動の両方に対応する記号データの最大チャネル活動に対応する記号データへの相関に基づいて判定するための命令を含む。
【０００９】
なおもさらなる態様によると、命令のセットを含む機械読み取り可能な記憶媒体が開示される。記憶された命令はチャネル推定の晩期または早期のバッファゾーンのうちの一方におけるチャネル活動を検出するため、検出したチャネル活動を、検出したチャネル活動の場所の反対側である早期または晩期のチャネル推定位置のうちの一方に帰属させるため、検出したチャネル活動場所に対応する記号データシーケンスの場所における検出したチャネル活動に対応する記号データシーケンス内の対応する検出データサンプルを判定するため、検出したチャネル活動場所に対応する記号データシーケンスの場所における帰属チャネル活動に対応する記号データシーケンス内の対応する帰属データサンプルを判定するため、チャネル推定における最大チャネル活動に対応する記号データシーケンスの場所における最大チャネル活動に対応する記号データシーケンス内の対応する最大チャネルデータサンプルを判定するため、対応する検出データサンプルと対応する最大チャネルデータサンプルとの間の第１の相関付けを実行するため、対応する帰属データサンプルと対応する最大チャネルデータサンプルとの間の第２の相関付けを実行するため、および検出したチャネル活動に関して正しいタイミング位置を、第１と第２の相関のうちのいずれが大きいかの判定に基づいて判定するための命令を含む。
【００１０】
別の態様によると、無線通信システム内で使用するためのトランシーバが開示され、チャネル活動が通信チャネル推定における早期または晩期到着位置のうちの少なくとも一方で起こる時を判定するように構成されたプロセッサを有する。このプロセッサはまた、早期到着位置または晩期到着位置のどちらかにおけるチャネル活動を無線チャネル推定における対応する晩期または早期到着のアンラップされたチャネル活動位置へとアンラップし、チャネル活動および晩期または早期到着のアンラップされたチャネル活動位置の両方に対応する通信信号内の記号データを判定し、チャネル活動およびアンラップされたチャネル活動の両方に対応する判定された記号データを最大チャネル活動を含めたチャネル推定の場所の他の部分で起こるチャネル活動に対応する記号データに相関付け、かつチャネル活動のタイミング位置が早期または晩期到着位置のうちの一方で起こるかどうかを、チャネル活動およびアンラップされたチャネル活動の両方に対応する記号データの最大チャネル活動に対応する記号データへの相関に基づいて判定するように構成される。
【００１１】
さらなる態様によると、無線通信システム内で使用するためのトランシーバが開示され、チャネル推定の晩期または早期のバッファゾーンのうちの一方におけるチャネル活動を検出するように構成されたプロセッサを含む。このプロセッサはさらに、検出したチャネル活動を、検出したチャネル活動の場所の反対側である早期または晩期のチャネル推定位置のうちの一方に帰属させ、検出したチャネル活動場所に対応する記号データシーケンスの場所における検出したチャネル活動に対応する記号データシーケンス内の対応する検出データサンプルを判定し、検出したチャネル活動場所に対応する記号データシーケンスの場所における帰属チャネル活動に対応する記号データシーケンス内の対応する帰属データサンプルを判定し、チャネル推定における最大チャネル活動に対応する記号データシーケンスの場所における最大チャネル活動に対応する記号データシーケンス内の対応する最大チャネルデータサンプルを判定し、対応する検出データサンプルと対応する最大チャネルデータサンプルとの間の第１の相関付けを実行し、対応する帰属データサンプルと対応する最大チャネルデータサンプルとの間の第２の相関付けを実行し、かつ検出したチャネル活動に関して正しいタイミング位置を、第１と第２の相関のうちのいずれが大きいかの判定に基づいて判定するように構成される。
【００１２】
さらに別の態様によると、無線通信装置内でタイミングを解決するための装置が開示され、チャネル活動がチャネル推定の早期または晩期到着位置で起こる時を判定するための手段、早期到着位置または晩期到着位置のどちらかにおけるチャネル活動をチャネル推定における対応する晩期または早期到着のチャネル活動の位置へとアンラップするための手段、チャネル活動およびアンラップされたチャネル活動の両方に対応する信号データ内の記号データを判定するための手段、チャネル活動およびアンラップされたチャネル活動の両方に対応する判定された記号データをチャネル推定において起こる最大チャネル活動に対応する記号データに相関付けるための手段、および早期または晩期到着位置のどちらかで起こるチャネル活動の正しいタイミング位置を、チャネル活動およびアンラップされたチャネル活動の両方に対応する記号データの最大チャネル活動に対応する記号データへの相関に基づいて判定するための手段を含む。
【００１３】
別の態様によると、通信信号内のタイミング位置を判定するための方法が開示され、通信チャネル推定における早期到着位置で起こる通信信号の第１のチャネル活動を判定すること、および通信チャネル推定における晩期到着位置で第１のチャネル活動をアンラップすることを含む。本方法はさらに、第１のチャネル活動およびアンラップされた第１のチャネル活動の両方に対応する通信信号内の記号データを判定すること、および第１のチャネル活動およびアンラップされた第１のチャネル活動の両方に対応する判定された記号データを主チャネル活動を含めたチャネル推定の他の部分で起こる第２のチャネル活動に対応する記号データに相関付けることを含む。最後に、本方法は第１のチャネル活動およびアンラップされた第１のチャネル活動の両方に対応する判定された記号データの第２のチャネル活動に対応する記号データへの相関に基づいて第１のチャネル活動のタイミング位置を判定することを含む。
【００１４】
さらに別の態様によると、通信信号内のタイミング位置を判定するための方法が開示され、通信チャネル推定における晩期到着位置で起こる通信信号の第１のチャネル活動を判定することを含む。本方法はさらに、通信チャネル推定における早期到着位置で第１のチャネル活動をアンラップすること、第１のチャネル活動およびアンラップされた第１のチャネル活動の両方に対応する通信信号内の記号データを判定すること、および第１のチャネル活動およびアンラップされた第１のチャネル活動の両方に対応する判定された記号データを主チャネル活動を含めたチャネル推定の他の部分で起こる第２のチャネル活動に対応する記号データに相関付けることを含む。最後に、本方法は第１のチャネル活動およびアンラップされた第１のチャネル活動の両方に対応する判定された記号データの第２のチャネル活動に対応する記号データへの相関に基づいて第１のチャネル活動のタイミング位置を判定することを含む。
【００１５】
なおも別の態様によると、通信チャネル推定におけるタイミング位置を判定するための方法が開示され、これは通信チャネル推定における早期到着位置で起こる第１のチャネル活動を検出すること、無線チャネル推定における晩期到着位置で第１の検出チャネル活動をアンラップすること、第１のチャネル活動およびアンラップされた第１のチャネル活動の位置の両方に対応する通信信号内の記号データを主チャネル活動に対応する記号データに相関付けること、およびこの相関に基づいて第１のチャネル活動のタイミング位置を判定することを含む。
【００１６】
１つの別の態様によると、通信チャネル推定におけるタイミング位置を判定するための方法が開示され、これは通信チャネル推定における晩期到着位置で起こる第１のチャネル活動を検出することを含む。本方法はさらに、無線チャネル推定における早期到着位置で第１の検出チャネル活動をアンラップすること、第１のチャネル活動およびアンラップされた第１のチャネル活動の位置の両方に対応する通信信号内の記号データを主チャネル活動に対応する記号データに相関付けること、およびこの相関に基づいて第１のチャネル活動のタイミング位置を判定することを含む。
【詳細な説明】
【００１７】
本開示は概して無線通信システムにおけるタイミング追跡の不明確性を解決すること、さらに特定すると無線通信システムのトランシーバにおけるタイミングの不明確性を解決し、それによってタイミング追跡のダイナミックレンジを効果的に広げるための装置および方法に関する。
【００１８】
開示される装置および方法の記述に役立てるために、図１は一例の無線通信システムのチャネル推定ゾーンの例示を提供する。図示されるように、一例のチャネル推定１００は２つのタイプのゾーンに分けられる。第１のゾーンタイプ１０２は初期設定チャネル活動ゾーンであり、ここでは初期設定として、最大または最も大きい記号経路が最も生じ易いと考えられる。上記で検討された一例のＯＦＤＭシステムを前提とすると、チャネル推定の合計の時間領域は１０２４チップであり、初期設定チャネル活動ゾーン１０２は例えば７６８チップから成る。第２のゾーンタイプの実例はそれぞれ早期および晩期のバッファゾーン１０４および１０６である（ＯＦＤＭシステムでは保護区間としてもやはり一般的に知られている）。背景技術で検討された一例のＯＦＤＭシステムを再び想定すると、早期および晩期のバッファゾーン１０４、１０６は各々１２８チップの長さを有するであろう。
【００１９】
概して、新たな隠れた経路および／または眠っているタイミング誤りに起因して早期のバッファゾーン１０４に現れるいずれの新たな経路も、例えば、最初の到着位置（ＦＡＰ）と考えられる。同様に、晩期のバッファゾーン１０６に現れるいずれの新たな経路も晩期到着位置（ＬＡＰ）と考えられる。背景技術内の実例を想定すると、タイミング追跡のダイナミックレンジは±１２８チップである。チャネル推定の周期性特性に起因して、最初の１２８チップ（すなわち早期バッファゾーン１０４）よりも早く現れるいずれの最初の到着位置（ＦＡＰ）の活動も晩期バッファゾーン１０６の中に「ラップされ」、晩期到着位置（ＬＡＰ）として扱われる。同様に、晩期バッファゾーン１０６の１２８チップの後に現れるいずれのＬＡＰも早期バッファゾーン１０４の中にラップされてＦＡＰとして扱われる。どちらのケースでも、結果として生じるチャネル推定はＬＡＰまたはＦＡＰとして現れる活動が実際に現れるべきものであるか、またはそうではなく反対のバッファゾーンの中に「ラップされた」ＬＡＰまたはＦＡＰであるか不明確であることが原因で性能低下に陥る。この性能低下は新たな経路の強度に応じて、タイミング誤りおよびトランシーバの低下した復調性能という結果につながる。
【００２０】
本開示は、見掛けのＦＡＰおよびＬＡＰの不明確性を解決し、それによってタイミング追跡処理のダイナミックレンジを効果的に広げるために使用されることが可能な装置および方法を提供する。要約すると、開示される装置および方法は、例えばＯＦＤＭシステムなどにおいてチャネル推定によって提供される限られた解決法に起因するタイミングの不明確性を解決するために記号データサンプルを利用する。すなわち、チャネル推定においてラップアラウンドの可能性があるときは常に、不明確性を解決するために記号データが使用される。
【００２１】
目下開示される一例の装置および方法によると、早期および晩期のバッファゾーン１０４、１０６はいくつかのビンに分けられることもあり得る。しかしながら、検討の簡略化のために、開示される実例は１つのビンのみを使用することを想定される。チャネル活動が２つのバッファゾーン１０４、１０６のどちらかで起こったと判定されると、バイナリまたは２部検査が次いで実行される。
【００２２】
この検査に関する以下の検討では、晩期バッファゾーンでチャネル活動が検出されると仮定される。しかしながら、これが一例に過ぎず、早期バッファゾーンで検出されるチャネル活動についてもやはり当てはまり得ることを当業者が認識するであろうことに留意するべきである。
【００２３】
晩期バッファゾーンで検出されたチャネル活動が正確に晩期に発生する活動（例えばＬＡＰ）であるかどうか判定するための検査の第１の部分に先行して、ＬＡＰは「アンラップ」され、すなわち活動が最初の到着位置（ＦＡＰ）にもやはり置かれ、活動が早期バッファゾーン以前の設置を許容されるかまたは帰属させられることを意味する関係式ｉＦＡＰ＝−（Ｌ−ｉＬＡＰ）に従って置かれる。例証として、図２は現在の実例に関するチャネル推定２００を示しており、ここでは推定部は１０２４サンプルのチャネル長を各々想定する６４サンプルの１６個のビンへと分けられる。最初の２つのビン（例えば１と２）は早期バッファゾーン２０２を備え、最後の２つのビン（例えば１５と１６）は晩期バッファゾーン２０４を備えている。検出された晩期発生チャネル活動２０６（ＬＡＰ）は次いでアンラップされて上記の関係式に従った設置に帰属させられ、したがってアンラップされたチャネル活動２０８（これ以降ＦＡＰ２０８とも称される）で例示されるように早期バッファゾーン２０２の前にチャネル活動を置く。別の言い方をすれば、ラップ解除されたチャネル活動が検出されたチャネル活動の場所の反対側である場所に帰属させられ、例えばＬＡＰがＦＡＰの場所に帰属させられる。図２に例示されたビンは目下開示される方法および装置を具体的に示すことに役立てるためのものに過ぎず、さらに少数またはさらに多数のビンが使用されることも可能であり、あるいは全くビンが無くてもよいことに留意するべきである。
【００２４】
晩期バッファゾーンで検出されたチャネル活動が正確に晩期発生活動であるかどうか検査する前にやはり、チャネル推定２００のチャネル活動と実際の記号データ内で生じる記号データとの間の一致が判定される。このデータは実際の記号データ２１０で図２に例示されており、これは順次に受信される記号データである。やはり図２に示されるように、晩期発生チャネル活動２０６は矢印２１２で例示されるように実際の記号データ２１０内の対応するデータ記号に合わせられる。同様に、アンラップされたチャネル活動２０４が矢印２１４で例示されるように実際の記号データ２１０内の対応するデータ記号に合わせられる。チャネルタイミングの不明確性を解決することにおいて、チャネル推定２００の初期設定チャネル活動ゾーン２１８の中で生じる最大の経路活動２１６が実際の記号データ２１０の中の対応するデータに合わせられる。
【００２５】
したがって、検査の２つの部分のうちの１つにおいて、チャネル活動ＦＡＰ２０８と一致する実際の記号データ２１０内のデータが最大の分かっている経路活動２１６と一致する実際の記号データ内のデータと比較されるかまたは相関付けられることでこれらがいかに密接に類似しているかを判定する。これは図２に矢印２２０で図式的に示されている。この相関が大きくなるにつれて、ＦＡＰチャネル活動が最初の到着チャネル活動２０８の位置に存在すると見込まれることを示す。
【００２６】
２部検査のうちの他方の部分において、チャネル活動ＬＡＰ２０６と一致する実際の記号データ２１０内のデータが同様に最大の分かっている経路活動２１６と一致する実際の記号データ内のデータと比較されるかまたは相関付けられることでこれらがいかに密接に類似しているかを判定する。これは図２に矢印２２２で図式的に示されている。この相関が大きくなるにつれて、ＬＡＰチャネル活動が晩期到着チャネル活動２０６の位置に存在すると見込まれることを示す。したがって、最も密接に合致する相関は特定のチャネル活動が正しい場所ｉである強い尤度を示す。
【００２７】
図２に例示されたさらなる実例によると、各々の相関を判定するために実際の記号データのサンプルの所定の数Ｐが使用される。数Ｐは所望のどのような数に設定されてもよいが、正確な相関推定を確実にするために十分な数でなければならない。普通では、相関推定のために使用されるサンプルの数が大きくなるにつれて推定が一層正確になるが、しかし相関を計算する複雑度が一層高くなる。２部検査の期間中、ＦＡＰチャネル活動に対応する実際のデータ２２４のサンプルの数Ｐはこのようにして最大の経路活動２１６に対応する実際のデータ２２６のサンプルの数Ｐと相関付けられる。同様に、ＬＡＰチャネル活動に対応する実際のデータ２２８のサンプルの数Ｐが最大の経路活動２１６に対応する実際のデータ２２６のサンプルの数Ｐと相関付けられる。
【００２８】
図２の中のなおもさらなる実例では、多数の相関付けが実行され、隣り合う位置の数Ｋの各々で１つの相関付けが実行される。多様な隣接位置において、サンプルの数Ｐを各々使用して多数の相関付けを実行することによって、タイミングの不明確性を解決する精度が引き上げられる。このようにして、隣接位置の数Ｋについて相関付けの数Ｋが実行されると次いで、図２を考えるとＬＡＰまたはアンラップされたＦＡＰのうちのいずれがチャネル活動に関して正しい位置であると見込まれるかについて統計学的判定がなされることが可能である。この多数の相関付けは図２に、ＦＡＰ、ＬＡＰおよび最大の経路活動の各々について図示された２つのＰサンプル範囲、およびＫが２の値よりも大きくてもよいことを示すための図示されたサンプル範囲の対の間の楕円で例示される。
【００２９】
ＯＦＤＭシステムにおける一例によると、２部検査のうちの一方の部分はチャネル活動ゾーン内のｉｍａｘにおける最大の経路活動に対するＦＡＰの相関の定量的指標である相関係数ｒＦＡＰを判定することを含んでよい。この相関係数ｒＦＡＰは以下の関係式によって表現されることが可能であり、
【数１】
2009520414.tif 000003
【００３０】
式中、ｙはＯＦＤＭの記号データサンプルを表し、ｓｎはｎ番目のＯＦＤＭ記号であり、αｋはｋ番目の経路のチャネル利得であり、ＮはＯＦＤＭ記号内の（独立した）サンプルの数であり、ｗ（ｉ）はｉ番目のノイズサンプルであり、αｍａｘは最大経路のチャネル利得であり、ｉＦＡＰはアンラップされたＦＡＰの位置であり、ｉはＬＡＰの位置であり、ｉｋはｋ番目の経路の位置である。付け加えると、＊は所定の値の共役をとることを示す。
【００３１】
上記の展開式（１）は以下の式（２）を生じる。
【数２】
2009520414.tif 000004
【００３２】
次に、上記の式（２）からチャネルフェーズを除くことによって、結果として生じる相関係数
【数３】
2009520414.tif 000005
【００３３】
は以下のように決定されることが可能であり、
【数４】
2009520414.tif 000006
【００３４】
式中、ｃはＬ点の時間領域チャネル推定である。チャネルフェーズの除去は掛け算すること、例えばチャネル利得を掛け算し、したがって複素数である相関係数の虚数成分を取り除くことによって実施されることが可能である。実数成分のみを考慮することによってノイズ分散は大幅に（例えば５０％）削減される。複素部分は信号ノイズの代表である。
【００３５】
次いでｉＦＡＰ＋Ｐ＜ｉｋ、ｋ≠ｉＦＡＰであることが仮定されれば、相関係数に関する期待値は
【数５】
2009520414.tif 000007
【００３６】
として与えられることができる。したがって、式（４）によると、この実例における予想はＦＡＰにおけるチャネル活動に関する相関係数が非ゼロの値を有することであり、したがって問題となっているチャネル活動が正確にＦＡＰであり、かつ正しい場所がｉＦＡＰである可能性が高いことを示している。言い換えると、データが完全に整列しない場合、相関はゼロの値を有し、ＦＡＰが正確にはＦＡＰでなく、ＬＡＰである可能性が高いことを示している。
【００３７】
同様に、２部検査のうちの他方の部分はＬＡＰチャネル活動に対応する記号データの最大経路活動２１６に対応する実際の記号データとの相関付けを含む。これは以下の式
【数６】
2009520414.tif 000008
【００３８】
で見出される相関係数ｒＬＡＰで定量的に表されることが可能である。
【００３９】
チャネル利得を掛け算することによって、以下の式（６）が相関係数を表す。
【数７】
2009520414.tif 000009
【００４０】
ｉＬＡＰ＞ｉｋ＋Ｐ、ｉｋ≠ｉＬＡＰであると仮定することによって、相関係数の期待値は
【数８】
2009520414.tif 000010
【００４１】
によって与えられる。
【００４２】
上記の実例は２部検査を達成するための多数の可能な方法のうちの１つに過ぎないことに留意するべきである。例えば、式（４）および（７）に関してなされる仮定が最初に、アンラップされたチャネル活動（ＦＡＰ）が正しく配置されることを想定することを当業者は理解するであろう。ＬＡＰが正しく配置されることを想定することによってこの方法論が代替で実装されることが可能である。
【００４３】
前に図２に関連して検討されたように、２部分の相関検査の一例は多数のＰ点またはサンプル片を利用する。前述したように、チャネル推定の晩期バッファゾーン（例えば２２８）に対応するＰ個の点のＯＦＤＭ記号サンプル片が最も高いチャネルエネルギーを備えたチャネル推定のチャネル活動ゾーン（例えば２２６）内の位置ｉｍａｘにおけるＰ個の点のＯＦＤＭ記号サンプル片と相関付けられる。やはり前述したように、この相関付けは隣接位置の数Ｋで繰り返される。したがって、この実例では、相関係数ｒＬＡＰは以下の式
【数９】
2009520414.tif 000011
【００４４】
および
【数１０】
2009520414.tif 000012
【００４５】
を使用して判定されることが可能であり、式中、ＭはＭ∈（１，２，．．．）を伴う最大化分解能であり、ＭＫは最大化範囲である。
【００４６】
付け加えると、晩期バッファゾーンで生じるチャネル活動がやはり見込まれるＦＡＰとして対応する位置ｉＦＡＰへと「アンラップ」されると次いで、位置ｉＦＡＰのＰ点のＯＦＤＭ記号サンプル片（例えば２２４）が最も高いチャネルエネルギーを備えたチャネル活動ゾーン（例えば２２６）内の位置ｉｍａｘにおけるＰ点のＯＦＤＭ記号サンプル片と相関付けられ、隣接位置の数Ｋについて繰り返される。したがって、この実例では、相関係数ｒＦＡＰは以下の式
【数１１】
2009520414.tif 000013
【００４７】
および
【数１２】
2009520414.tif 000014
【００４８】
を使用して判定されることが可能である。
【００４９】
この実例ではしたがって、以下の式
【数１３】
2009520414.tif 000015
【００５０】
が真である場合は、晩期バッファゾーンで生じるチャネル活動はＬＡＰと考えられることが可能である。この関係式は、Ｋ個の相関の範囲全体にわたる（虚数成分を除かれ、したがって素数記号の）ＬＡＰ相関係数に関する実数のセットの最大値がＫ個の相関の同じ範囲全体にわたる（虚数成分を除かれた）ＦＡＰ相関係数の実数のセット以上であればチャネル活動がＬＡＰである可能性が最も高いことを例証している。
【００５１】
単純化するために、上記の式（１２）は
【数１４】
2009520414.tif 000016
【００５２】
として言い換えられることもやはり可能であり、式中、数学記号‖‖は複素相関係数の大きさを判定する演算を意味する。チャネル活動がＬＡＰであるかＦＡＰであるかの判定を簡略化するために式（１３）が使用される場合、この簡略化は判定に低下した性能または精度の犠牲を伴う。
【００５３】
上記の条件（１２）または（１３）のどちらかが誤りであれば、問題になっているチャネル活動はこの実例ではラップアラウンドＦＡＰと考えられるということに留意すべきである。式（１２）および（１３）の条件は他の実例によって逆に記述されることがあり得る。しかしながらどちらのケースでも、位置ＬＡＰまたはＦＡＰのどちらが最も高いエネルギーのチャネルのデータに強く相関しているか調べるために判定がなされる。
【００５４】
開示された方法が使用されるとき、ダイナミックレンジが±１２８チップから±２５６チップへと効果的に広げられることが上記の実例から分かる。さらなる改造でもってダイナミックレンジのさらなる拡大でさえも可能であり得ることを当業者は理解するであろう。例えば、早期および晩期のバッファゾーンが２５６サンプルに設定されることができる。もちろんこの選択肢は、初期設定のチャネル活動ゾーンを減少させ、初期設定のチャネル活動ゾーンが初期設定のチャネル活動の大部分を閉じ込めるのに十分な大きさである限りにおいてのみ成立するであろう。
【００５５】
図３は、タイミングの不明確性を解決するために上述の方法論を達成するための装置を使用することが可能な一例のトランシーバ３００のブロック図である。例示されるように、トランシーバ３００は送信された無線信号を受信するためのアンテナ３０２を含む。アンテナ３０２はアナログ無線信号をデジタル信号３０５に変換するアナログ／デジタル（Ａ／Ｄ）変換器３０４にこの信号を供給する。Ａ／Ｄ変換器３０４はサンプラ３０６または同様に適切な装置にデジタル信号３０５を出力する。それにもかかわらず、サンプラ３０６はデジタル信号３０５の中の副搬送波またはビンをサンプリングするための実際のタイミング窓を達成するトランシーバ３００の一部である。同期をとられたデジタル信号３０７であるサンプラ３０６の出力はチャネル推定器３０８と復調器／ＦＦＴ３１２の両方に入力される。チャネル推定器３０８は、例えば、デジタル信号の記号データ中に送信器（図示せず）によって挿入されたパイロットトーンを使用して同期検波を実行する。推定器３０８は各々のチャネルのインパルス応答と周波数応答を生じさせるチャネル推定を実行する。これらの結果３０９はタイミングオフセットの計算、またはチャネルのサンプリングのためのタイミングの開始のためにタイミング推定器３１０に送信され、かつ復調器／ＦＦＴ３１２に送信される。
【００５６】
タイミング推定回路３１０は、特に、タイミングの不明確性を解決するために図３に関連して前に述べられた方法のうちの１つまたは複数を実行する。したがって、タイミング推定器３１０はサンプラ３０６のサンプリング窓のタイミングを設定するためにタイミングデータ３１１をサンプラ３０６に出力する。タイミング推定器３１０がトランシーバ３００などのトランシーバ装置の中にハードウェア、ソフトウェア、またはファームウェアとして実施され得ることに留意するべきである。付け加えると、ソフトウェア実施のケースでは、トランシーバ３００は内部に保存された命令を有するコンピュータ読み取り可能な媒体（例えばメモリ３１８など）を含むかまたはこれとインターフェース接続する特定用途向け集積回路（ＡＳＩＣ）などの集積回路を含んでもよく、プロセッサ（例えば推定器３１０）によって実行されるとき、これらの保存された命令はプロセッサに本開示に記述された方法を実行させる。他の実例では、タイミング推定器３１０はセパレータプロセッサとして実装されることも可能であり、またはデジタル信号プロセッサ（ＤＳＰ）３１６によってトランシーバ３００の中に実装されてもよい。
【００５７】
図３に示されるように、いくつかの知られている技術のうちの１つに従って送信器（図示せず）によって変調された信号３０７を復調するためにサンプラ３０６の出力もやはり信号３０７を復調器３１２に供給する。復調の後、結果として生じる復調信号３１３がデコーダ３１４によって解読され、トランシーバが収納される、例えば携帯電話装置またはパーソナルデータアシスタントなどの移動通信装置による使用のためにシリアルビットストリームとして出力される。
【００５８】
図４はチャネル推定における記号と実際の記号データとの間の相関を判定し、かつ実際の記号データ内の対応する信号記号間で記号データを相関付けることでタイミングの不明確性を解決するための一例の方法のフロー図である。図示されるように、処理４００はブロック４０２で初期化される。フローはブロック４０２からブロック４０４に進み、ここではチャネル活動がチャネル推定の早期または晩期到着位置で起こる時について判定がなされる。処理のこの部分の実施の一例として、図３のタイミング推定器３１０がチャネル推定器３０８からチャネル推定を調べる。場合によっては、チャネル推定器３０８が処理のこの部分を実施することもやはりあり得る。
【００５９】
ブロック４０４における判定が実行されると次いで、早期到着位置または晩期到着位置のどちらかに関してチャネル活動がブロック４０６に示されるようにチャネル推定におけるチャネル活動の対応する晩期または早期到着位置にアンラップされる。処理のこの部分は上記で、検出されたチャネル活動２０６がアンラップされたチャネル活動２０８の位置へとアンラップされた図２の実例の中で検討された。ブロック４０６の判定もやはり同様に早期バッファゾーンで起こる活動を晩期バッファゾーンの後の位置にアンラップすることを含む。
【００６０】
ブロック４０６に次いで、フローはチャネル活動およびアンラップされたチャネル活動の両方に対応する信号データ内の記号データを判定するためのブロック４０８に進む。前に図２の矢印２１２および２１４が、ブロック４０８において実行される一致のこの判定の一例を例証した。付け加えると、ブロック４０８の処理は最大または主チャネル活動（例えば２１６）と受信データ内のデータ２２６との間の一致を含む。ブロック４０８の判定が完了されると次いで、フローはブロック４１０に進む。ここでは、前に述べられた２部検査が実行される。特に、チャネル活動およびアンラップされたチャネル活動の両方に対応する判定記号データとチャネル推定で起こる最大チャネル活動に対応する記号データとの間で相関付けが実行される。この相関が判定される方法の実例は前に図２および式（１）〜（１１）の検討に関連して与えられた。
【００６１】
ブロック４１０の相関付けが完了すると次いで、フローはブロック４１２に進む。図示されるように、ブロック４１２はチャネル活動およびアンラップされたチャネル活動の両方に対応する記号データの最大チャネル活動に対応する記号データへの相関に基づいて早期または晩期到着位置のどちらかで起こるチャネル活動の正しいタイミング位置を判定することを含む。言い換えると、タイミングの不明確性はＦＡＰまたはＬＡＰの配置を問題になっているチャネル活動に一致させることによって解決される。この判定の一例の実施法は前に式（１２）および（１３）に関して検討された。
【００６２】
図４の処理が図３の装置に示されたタイミング推定器３１０によって実施され得ることに留意するべきである。場合によっては、図４の方法はデジタル信号プロセッサ（例えば図３のＤＳＰ３１６）によって実施されることもやはり可能である。さらに、判定されたＦＡＰまたはＬＡＰの場所のどちらかの割り当てに関連する一時的な情報が、例えば、タイミング推定器３１０によってサンプラ３０６または復調器／ＦＦＴ３１２のどちらかに供給される。
【００６３】
図５はタイミングの不明確性を解決するためのトランシーバ装置の別の実例である。例示されるように、無線トランシーバ５００は無線通信信号を受信および送信するためのアンテナ５０２への接続を含む。例えば図４に開示された方法を達成するための様々な手段が装置５００の中にある。特に、チャネル推定におけるタイミングの不明確性の解決を達成するためにこれらの様々な手段が使用される。
【００６４】
図示されるように、トランシーバ５００はチャネル活動がチャネル推定の早期または晩期到着位置で起こる時を判定するための手段５０４を含む。この手段５０４は、例えば、図３のタイミング推定器３１０またはＤＳＰ３１６によって実装されてもよい。場合によっては、手段５０４はやはり図３に示されたチャネル推定器３０８によって実装されることもまたあり得る。手段５０４は結果として生じる判定を、早期到着位置または晩期到着位置のどちらかにおけるチャネル活動をチャネル推定におけるチャネル活動の対応する晩期または早期到着位置へとアンラップするための手段５０６に出力する。一例として、この手段５０６は例えば図３のタイミング推定器３１０またはＤＳＰ３１６によって実装されてもよい。場合によっては、手段５０６はやはり図３に示されたチャネル推定器３０８によって実装されることもまたあり得る。
【００６５】
手段５０６は結果として生じる判定を、チャネル活動およびアンラップされたチャネル活動の両方に対応する信号データ内の記号データを判定するための手段５０８に出力する。今度は他方で、手段５０８は結果として生じる一致判定を、チャネル活動およびアンラップされたチャネル活動の両方に対応する判定された記号データをチャネル推定内で起こる最大チャネル活動に対応する記号データに相関付けるための手段５１０に出力する。最後に、手段５１０は相関結果を、チャネル活動およびアンラップされたチャネル活動の両方に対応する記号データの最大チャネル活動に対応する記号データへの相関に基づいて早期または晩期到着位置のどちらかで起こるチャネル活動の正しいタイミング位置を判定するための手段５１２に出力する。タイミングの不明確性を解決する正しいタイミング位置の判定はＦＡＰまたはＬＡＰの場所のどちらかを問題になっているチャネル活動に一致させることによって決定される。手段５０６、５０９８、５１０、および５１２が例えば図３のタイミング推定器３１０またはＤＳＰ３１６によって実装され、例えばそれぞれの機能を遂行するために式（１）〜（１３）に関連して上に検討された関係式を利用することが可能であることに留意するべきである。
【００６６】
本願明細書に開示された実例に関連して述べられた方法またはアルゴリズムは直接的にハードウェアで、プロセッサによって実行されるソフトウェアモジュールで、ファームウェアで、またはこれらのうちの２つ以上の組み合わせで具現化されてもよい。ソフトウェアモジュールはＲＡＭメモリ、フラッシュメモリ、ＲＯＭメモリ、ＥＰＲＯＭメモリ、ＥＥＰＲＯＭメモリ、レジスタ、ハードディスク、着脱式ディスク、ＣＤ−ＲＯＭ、または当業者に知られているいずれかの他の記憶媒体の形態に存在してもよい。一例の記憶媒体は、プロセッサがこの記憶媒体から情報を読み取り、かつこの記憶媒体に情報を書き込むことができるようにプロセッサに連結される。代替形態では、記憶媒体はプロセッサに一体化されてもよい。プロセッサと記憶媒体がＡＳＩＣ内に存在してもよい。このＡＳＩＣがユーザ端末内にあってもよい。代替形態では、プロセッサと記憶媒体はユーザ端末内で個別部品として存在することもあり得る。
【００６７】
上述された実例は単に例であり、現時点で当業者はここに開示された発明の概念から逸脱することなく上述の実例の数多くを利用して、かつ上述の実例からの脱却をなすことが可能である。これらの実例に対する様々な改造は当業者に容易に明らかになり、本願明細書に規定された一般的原理は本願明細書に述べられた新規的な態様の趣旨または範囲から逸脱することなく他の実例、例えばインスタントメッセージサービスまたはいずれの一般的無線データ通信用途にも適用されることが可能である。したがって、本開示の範囲は本願明細書に示された実例に限定されるように意図されず、本願明細書に開示された原理および新規的な特徴と一致する最も広い範囲を与えられるべきである。「実例の」という単語は「例、事例、または例証として役立つこと」を意味するように本願明細書で専用に使用される。本願明細書で「実例の」として述べられたいずれの実例も他の実例を上回って好ましいまたは有利であると必ずしも解釈される必要はない。したがって、本願明細書に述べられた新規的な態様は添付の特許請求項によってのみ規定されるべきである。
【図面の簡単な説明】
【００６８】
【図１】一例の無線通信システムのチャネル推定ゾーンを例示する図。
【図２】チャネル推定における記号と実際の記号データとの間の相関を判定するため、および実際の記号データ内の対応する信号記号間で記号データを相関付けるための一例の方法を例示する図。
【図３】本開示に従ってタイミング追跡の不明確性を解決するための一例の装置を使用するトランシーバを示すブロック図。
【図４】チャネル推定における記号と実際の記号データとの間の相関を判定するため、および実際の記号データ内の対応する信号記号間で記号データを相関付けるための一例の方法を開示するフロー図。
【図５】本開示に従ってタイミング追跡の不明確性を解決するための別のトランシーバ装置を示すブロック図。
【図１】
2009520414.tif 000017
【図２】
2009520414.tif 000018
【図３】
2009520414.tif 000019
【図４】
2009520414.tif 000020
【図５】
2009520414.tif 000021
【国際調査報告】
2009520414.tif 000022
2009520414.tif 000023
2009520414.tif 000024